(57)【要約】【課題】交換部品にＩＤを付与せずに、交換部品の在庫数の管理や所在管理をするリンク品在庫管理システムを提供すること。【解決手段】在庫管理データベース１１にネットワーク２とサーバ１２を経由して、発注する支社３，その発注を承認する管理部門４，交換部品を送付する資材部門５がパソコンを用いて接続し、部品の在庫管理をするホームページより部品に関する情報を登録する。同一の部品に関してそれぞれの部門より登録された情報により部品の所在管理を行い、部品の所在情報により部品の在庫数を計算し、在庫数の管理を行う。【選択図】図１
2005178975.tif 000002
【特許請求の範囲】
【請求項１】
不良品を交換し、部品を回収・修理して再利用するリンク品の在庫管理システムにおいて、リンク品の在庫管理を登録するためホームページとリンク品の管理情報を保存するための記憶部と登録された内容により部品の在庫数を算出する演算手段と部品の所在地を管理する手段を所有したサーバを設け、各拠点に設置されたパソコンより通信手段を介し前記ホームページより部品の状態を登録し、前記ホームページを閲覧することにより、リンク品の在庫管理やリンク品の所在管理をすることを特徴としたリンク品在庫管理システム。
【発明の詳細な説明】
【技術分野】
【０００１】
本発明は、不良部品を交換・回収し、リンク品として再利用する場合の、部品の在庫数や所在を管理する、リンク品在庫管理システムに関する。
【背景技術】
【０００２】
従来のリンク品（リサイクル品）の在庫管理システムは、部品総数に対しＩＤを作成し、個々の部品にそのＩＤを付与して管理している。また、個々の部品のＩＤを付与する手間を省く為に、交換部品をネットワークへ接続させ、自動的に付与している（特許文献１参照）。
【特許文献１】特開２００２−２１４９８１公報（段落番号００６４〜００７０、第２図、第３図）
【発明の開示】
【発明が解決しようとする課題】
【０００３】
上記従来技術では、交換する部品にネットワーク接続やＩＤを保存するＩＣチップ等が必要となり、また個々の部品にＩＤを付加する専用ソフトが必要となる。
【０００４】
しかし、不良部品の対策などの場合、高額なシステムを構成することが難しいうえ、各部品にネットワークを接続することも困難である。そこで本発明の目的は交換部品にＩＤを付与せずに、交換部品の在庫数の管理や所在管理をするリンク品在庫管理システムを提供することにある。
【課題を解決するための手段】
【０００５】
上記の目的を達成するために、本発明は、不良品を交換し、部品を回収・修理して再利用するリンク品の在庫管理システムにおいて、リンク品の在庫管理を登録するためホームページとリンク品の管理情報を保存するための記憶部と登録された内容により部品の在庫数を算出する演算手段と部品の所在地を管理する手段を所有したサーバを設け、各拠点に設置されたパソコンより通信手段を介し前記ホームページより部品の状態を登録し、前記ホームページを閲覧することにより、リンク品の在庫管理やリンク品の所在管理をすることを特徴とする。
【発明の効果】
【０００６】
以上述べたように、本発明では、各部門からアクセス可能なホームページから、各処理を登録する構成にしたことにより、部品にＩＤを付与することなく、部品の在庫数管理や部品の所在管理を安価なシステム構成で実現することができた。
【０００７】
また、管理元で部品の在庫数を確認しながら承認処理が行えるため、優先順位の高い依頼から発送することができ、在庫が少なくなった場合は、追加発注処理ができるようになったため、信頼性が向上した。
【０００８】
また、管理元で部品の所在管理が行えるため、部品の紛失の抑止効果も向上した。
【発明を実施するための最良の形態】
【０００９】
以下、本発明を図示の実施例に基づいて説明する。  
図１は本発明の実施例に係るリンク品在庫管理システムのシステム構成図である。図において、１１はリンク品在庫管理データベースで２のネットワークおよび１２のサーバ経由で、部品を発注する支社３、その発注を承認する管理部門４、交換部品を送付する資材部門５がアクセスすることができる。各部門はそれぞれデータベースにアクセスするため、ネットワーク２に接続しリンク品在庫管理のホームページを閲覧することのできるパソコンを所有し、資材部門５は、送付部品に添付する送達表を印刷する、印刷手段５２を所有する。
【００１０】
次に図２のフローチャート及び図５、図７のホームページ画面を用い、業務の流れを説明する。支社３より交換を要する部品が発生した場合、パソコン３２で、図５のリンク品在庫ホームページ１４にアクセスし、発送先１４１、設置先１４２、作業予定日１４３を入力し、部品の送付依頼の処理をする（Ｓ１１）。管理部門４では図７のホームページ１６にアクセスし、作業予定日１４３・在庫数１６１の確認をし（Ｓ１２）、在庫数１６１が十分であれば承認をし、在庫数１６１が少ない場合は、作業予定日１４３の迫ったものから承認を行う（Ｓ１３）。この画面で表示されている状態１６２は、図８に示す関連表のとおり、図２のフローチャート内の各手順を実施すると、対応する状態１６２に変化し、この状態１６２を確認することで部品の所在地を管理元で確認することができる。
【００１１】
次に、資材部門５ではホームページより部品の発送処理をし、図６の送達表を印刷する（Ｓ１４）。送達表１５はホームページ図４，図５で入力された、部品番号１３１，部品名１３２、送付先１４１，設置先１４２、作業予定日１４３が自動的に印刷される。承認者欄１５１にはＳ１３で承認した人の名称が印刷される。資材部門５は印刷された送達表を添付し依頼元へ送付する（Ｓ１５）。支社３では受け取った部品と交換し、交換した不良品を資材部門５へ返送する（Ｓ１６）。資材部門５では不良品を受理し（Ｓ１７）、それを修理部門へ送付する（Ｓ１８）。修理部門で修理した部品を資材部門５で受理し、交換用の在庫部品として登録する（Ｓ１９）。
【００１２】
次に部品在庫数の管理の方法を、図２、図３のフローチャートおよび図４、図７のホームページ画面を用いて説明する。管理部門４は対策部品をリンク品として扱う場合は、図４のホームページ１３より部品番号１３１、部品名１３２、部品数１３３を登録する（Ｓ２０）。図２のＳ１２で在庫数が少なくなった場合は、部品の追加発注をし、ホームページ１３より部品数１３３の変更をする（Ｓ２１）。
【００１３】
図２のＳ１４で資材部門５が発送処理をした場合、部品の総数より「１」差し引かれ、また、Ｓ１９で修理された部品を在庫部品登録された際に「１」加算される。以上の計算結果が、管理部門４が参照する図７のホームページ１６の在庫数１６１に反映され、常に管理部署で在庫数を把握することができる。
【図面の簡単な説明】
【００１４】
【図１】本発明の実施例に係るリンク品在庫管理システムのシステム構成図である。
【図２】業務手順に関するフローチャートである。
【図３】管理用の業務手順に関するフローチャートである。
【図４】管理する部品の登録用のホームページ画面である。
【図５】送付依頼用のホームページ画面である。
【図６】送達表の一例である。
【図７】部品の在庫数や状態を確認する一覧画面である。
【図８】業務手順と部品状態の関連表である。
【符号の説明】
【００１５】
１１  リンク品在庫管理データベース
１２  サーバ
２    ネットワーク
３    支社  
３１  支社部門パソコン
４    管理部門
４１  管理部門パソコン
５    資材部門
５１  資材部門パソコン
５２  印刷手段
【図１】
2005178975.tif 000003
【図２】
2005178975.tif 000004
【図３】
2005178975.tif 000005
【図４】
2005178975.tif 000006
【図５】
2005178975.tif 000007
【図６】
2005178975.tif 000008
【図７】
2005178975.tif 000009
【図８】
2005178975.tif 000010